(57)【要約】      （修正有）【課題】単純な形状で安価で、温熱効果を図り血液の循環をよくする効能的な患部指圧棒を提供する。【解決手段】人体の患部（経穴（つぼ）も含む）に軽力、快力を表面から加えて筋肉を柔らかくほぐしながら血液の循環をよくし体調を整える際に使用するもので、積層断面形状にある指圧棒の外層と内層のいずれか一側にアルミニウム金属２をまた他側に銅金属３を積層し、あるいはさらにこれらの金属を交互に入れ替え多重層に積層した指圧療具である。【選択図】図１
2009090069.tif 000002
【特許請求の範囲】
【請求項１】
積層断面形状にある指圧棒の外層と内層のいずれか一側にアルミニウム金属をまた他側に銅金属を積層し、あるいはさらにこれらの金属を交互に入れ替え多重層に積層して構成した事を特徴とする患部指圧棒。
【発明の詳細な説明】
【技術分野】
【０００１】  本発明は、人体の患部（経穴（つぼ）も含む）に軽力、快力を表面から加えて筋肉を柔らかくほぐしながら血液の循環をよくし体調を整える際に使用する、アルミニウム金属と銅金属からなる金属積層製の患部指圧棒に関するものである。
【背景技術】
【０００２】  人体患部の治療には手指や掌で患部の皮膚を摩る、揉む、叩く、押すなどの方法があるが、中でも一般に多く使用されているのが押す治療すなわち指圧療法である。指圧療法は、人体の経穴や患部に爪を立てない様に指紋のある指先で押しながら圧力を加え静脈流の押流を増大し流す事で、心臓への還流量を増加させ、体内末端の諸器官に達する神経まで血流させる効果があるとされ、高血圧、不眠症、神経痛、常習性便秘などの解消に適応されている。しかしながら、指圧療法を施す者は、肘を延ばし、指圧で最も使う親指の指紋のあるところで体重を垂直にかけながら幹部を押さえるため、労力を消耗し、疲労を感じ、長い間を持続的に治療する事が出来ない問題があった。このため指圧療法を施す者の労力を軽減する多くの種類の指圧棒が開発されている。例えば特開平７−２８９６０９号公報には「足裏の様に比較的広い患部また足指の様に丸みを帯びた患部でも良好に指圧できる様に、握持できる程度の太さをもった細棒体の一端に湾曲突部を形成し他端に湾曲小突起を所定の間隔で環状に設けた指圧棒」、特開平９−２７６３６２号公報には「指圧施療者の労力に頼らず幹部に強弱の押圧が調整できる様に、棒状体の長手方向に患部の形状に対応してゆるやかな弧状に湾曲した押圧稜線を介して複数の押圧面を設けた多面体の指圧棒」が紹介されている。また特開平２００５−２７９２２１号公報には「前記した突起物や突起形状の指圧棒を改善するものとして、指圧棒の先端に発熱体の球面突起物を設けた温熱指圧を目的とした電熱式温熱指圧器」、特開平２００６−６１６６２号公報には「内部に健康刺激用の妻楊枝を入れ、指圧部分に磁気を取付けた押圧棒」、特開平２００６−５５６４４号公報には「指圧と同時にマイナスイオンを発生し放射する痛み緩和指圧棒」の他に、特開平１１−１４６８９９号公報には「患部から発生する痛みを感じさせるマイナスエネルギーを、純銀製患部押圧棒または純銀製患部押圧塊状物の患部当着面または全表に純金を被覆した押圧具から発生する強力なプラスエネルギーで消去させ、患部の痛みを和らげる効果が速効的に現れかつ長時間維持できる患部押圧治療具」など多くの種類の押圧棒が開発されている。
【特許文献１】特開平７−２８９６０９号公報
【特許文献２】特開平９−２７６３６２号公報
【特許文献３】特開平２００５−２７９２２１号公報
【特許文献４】特開平２００６−６１６６２号公報
【特許文献５】特開平２００６−５５６４４号公報
【特許文献６】特開平１１−１４６８９９号公報
【発明の開示】
【発明が解決しようとする課題】
【０００３】  上記した今日まで開発された指圧棒は、木製や合成樹脂製棒状物の押圧面を湾曲小突起状にあるいは多面体に加工したりまた純金や純銀などの高価金属を使用する事で人体患部の血液の循環をよくし体調を整える効能的に優れたものである。しかしながら、人体患部を単に押す単純操作の中の指圧治療具としては加工形状が複雑でありまた高価な素材金属を使用する問題から、単純な形状で安価でしかも効能的に優れた指圧棒の開発が望まれていた。【０００４】  本発明者らはこの様な問題点や要求に鑑み、温熱効果や患部凝りを解消する指圧効果がありしかも人が持ち続けても疲労を感じさせない程度の比較的に軽量な指圧棒を提供する事を目的に、指圧棒に使用する各種の材質と一般に入手し易い金属とを組合わせたりまた異種金属を組合わせたり、さらには形状の工夫やマイナスイオン発生装置を結合させるなど種々なる試みと検討を重ねた結果、アルミニウム金属と銅金属の積層物が身体に触れると体内を流れる微弱な生体電流が指圧効果すなわちガルバニックアクションを高める事を知見した。本発明は、この知見に基づいて構成したものである。
【課題を解決するための手段】
【０００５】  上記した本発明の目的を達成したその要旨とは、積層断面形状にある指圧棒の外層と内層のいずれか一側にアルミニウム金属をまた他側に銅金属を積層し、あるいはさらにこれらの金属を交互に入れ替え多重層に積層して構成した事を特徴とする患部指圧棒である。
【発明の効果】
【０００６】  上記の様に構成された本発明の患部指圧棒によれば、人体患部の素肌に軽く触れるだけで生体電流が流れて温熱効果を生じつつさらに繰り返して押圧される軽力または快力も加わって、凝った筋肉の患部を短い時間で柔らかくほぐすため、血液の循環がよくなり体調も早期に整えられる効果を奏する。また生体電流と繰り返される指圧効果によって凝った筋肉が完全にほぐされるため、長期間にわたってよい体調を維持できる効果もある。また本発明の患部指圧棒は高血圧、不眠症、神経痛、常習性便秘などの解消にも有効である。
【発明を実施するための最良の形態】
【０００７】  以下本発明の患部指圧棒について、図面を参照しながら詳細に説明する。
図面は本発明の一実施例を示したもので、図１は患部指圧棒の側面図（ａ）とその積層横断面図（ｂ）を示し、図２は他の一実施例を積層横断面図で示す。図１ａにおいて、１は患部指圧棒である。患部指圧棒１は人体の患部表面を押圧するもので、その横断面は図１ｂで示す様に押圧棒の外層と内層のいずれか一側にアルミニウム金属２をまた他側に銅金属３を積層した積層断面構造に構成されている。図１は外層にアルミニウム金属２をまた内層に銅金属３を積層した場合の一実施例で示す。また本発明においては、図２で示す様に、アルミニウム金属２と銅金属３を交互に入れ替え多重層に積層した場合の一実施例を積層横断面図で示す。【０００８】  本発明においてアルミニウム金属２と銅金属３に選定した理由は、人体患部を介して金属間を流れる生体電流が鉄、鉛、錫など一般に入手し易い金属よりも微弱でかつ患部の筋肉をほぐし指圧効果に最適とされる１〜２マイクロアンペアの電流範囲内にある事、両者共に大気中では腐食し難い金属であり長期間にわたって微弱な電流を安定して流し、またアルミニウム金属２と銅金属３の間にはイオン化傾向で大きな差があり電流が流れ易いなど諸性質の利点から限定したものである。特にアルミニウム金属２は、比重が２．７０で軽く持ち易い指圧棒を形成するに好都合な金属であり、各種の形状に加工し易い性質もある。また銅金属３は、比重が８．７０で指圧棒自体の重量感を増して指圧効果を高め、電気の伝導率が高く、アルミニウム金属２と同様に加工し易い性質である。アルミニウム金属２には鉄や珪素やアルミナなどの不避的不純物また銅金属３に鉛や砒素などの不避的不純物は、それぞれの金属が持つ性質に悪影響を及ぼす理由から少ないほど好ましい。また本発明の如き積層構造の患部指圧棒は、内層の溶融金属を凝固させてから外層の溶融金属を鋳込む鋳造法で製造してもよく、外層の金属パイプに内層の金属パイプを嵌め込む積層パイプ型指圧棒の製造法、また外層の金属パイプに内層用の金属棒を充填する中実型指圧棒の製造法、内層の金属棒または金属パイプに外層用の金属板を巻き付けるなど如何なる製造法を使用して製造してもよい。またその断面形状は円形や三角形またはそれ以上の多面形であっても構わないが、一般的には使い易さと製造し易さから考察すれば円形断面か板状断面が最良である。【０００９】  上記の様な構造の本発明の患部指圧棒は、前記した従来の指圧棒や押圧棒と同様に、人体の患部をゆっくりと指圧動作を繰り返しながら使用される。人体の神経細胞や筋肉細胞内でプラスとマイナスの電気が互いに均衡を保ちながら流れていた体内電流が、無理な姿勢でその均衡が崩れ、肩や首などで凝りを発生し、不眠症や神経痛などの体調障害を来す。その均衡が崩れた患部に本発明の患部指圧棒１が軽く触れるだけで、アルミニウム金属２と銅金属３と人体の患部との間で流れる微弱な生体電流のプラスとマイナスに刺激を受けて体内電流のプラスとマイナスが正常に戻ろうとする作用効果が起こり、体内電流の乱れが解消される。さらに患部を患部指圧棒１で繰り返し押圧する事によって生じる温熱効果も相まって、患部の血液循環をよくし、痛みや凝りが取り除かれ、体調も回復する。
以上述べた様に本発明の患部指圧棒は、患部を流れる体内電流の正常化と繰り返す押圧作用の温熱効果によって凝った筋肉を柔らかくほぐし、高血圧や不眠症などの症状を早期解消する有効な療具の一つと言える。
【実施例】
【００１０】  外径６ｍｍ×内径４ｍｍ×長さ１３０ｍｍの外層用アルミニウムパイプに内層に外径４ｍｍ×長さ１３０ｍｍの内層用銅棒を装入して製造した図１で示す様な構造の本発明の患部指圧棒（発生電流１マイクロアンペア）を使って肩凝りをする患者１０人を対象に指圧療法を試み、指圧時間と肩凝り再発期間を調査した。その結果肩凝りの程度によって人それぞれ指圧時間が異なるが平均９〜１７分／人で完全に治療を終えた。また肩凝りが再発するまでの期間は平均１７〜２１日／人であった。この数値は、比較用に使用した従来の木製指圧棒による指圧時間（平均２０〜２３分／人）また肩凝り再発期間（平均１１〜１４日／人）に較べ、指圧時間が短く再発するまでの期間が長い。この事から本発明の患部指圧棒は、効能的に優れた療具の一つと言える。
【産業上の利用可能性】
【００１１】  本発明の患部指圧棒は、指圧効果が高く一般に入手し易い金属を使用しまた製造し易い簡単な構造で使用されるため、簡単な指圧療具の一つとして各家庭で常備され頻繁に使用されるものと評価される。
【図面の簡単な説明】
【００１２】
【図１】本発明の一実施例で、側面図（ａ）とその積層横断面図（ｂ）を示す。
【図２】本発明の他の一実施例で、多重積層横断面図で示す。
【符号の説明】
【００１３】  １  患部指圧棒
２  アルミニウム金属
３  銅金属
【図１】
2009090069.tif 000003
【図２】
2009090069.tif 000004